(57)【要約】【課題】洗浄性能を向上できるタンク装置を提供すること。【解決手段】便器２に洗浄水を供給するタンク装置３であって、底部１０に排水口１２を有するタンク７と、タンク７内に設けられ、タンク７の満水時の水面よりも下方に開口９０を有するサブタンク９と、を備え、サブタンク９は、排水口１２からの排水中に、開口９０以外で該サブタンク９の外から内への空気の流入を規制する。サブタンク９は、該サブタンク９の下部に開口を有するように構成してもよく、サブタンク９は、該サブタンク９の上部に、該サブタンク９の外から内への空気の流入を規制する逆止構造１８を有するように構成してもよい。【選択図】図１
2018059388.tif 000002
【特許請求の範囲】
【請求項１】
便器に洗浄水を供給するタンク装置であって、
底部に排水口を有するタンクと、
前記タンク内に設けられ、前記タンクの満水時の水面よりも下方に開口を有するサブタンクと、を備え、
前記サブタンクは、前記排水口からの排水中に、前記開口以外で該サブタンクの外から内への空気の流入を規制するタンク装置。
【請求項２】
前記サブタンクは、該サブタンクの下部に前記開口を有する請求項１に記載のタンク装置。
【請求項３】
前記サブタンクは、該サブタンクの上部に、該サブタンクの外から内への空気の流入を規制する逆止構造を有する請求項１又は２に記載のタンク装置。
【請求項４】
前記逆止構造は、前記排水口からの排水中に前記規制が解除可能な構造を有する請求項３に記載のタンク装置。
【請求項５】
前記サブタンクは、該サブタンクの上部に通気孔を有し、
前記逆止構造は、前記サブタンク内の水位に基づいて昇降し、上昇して前記通気孔を開く一方で下降して前記通気孔を閉じる弁体を有する請求項３又は４に記載のタンク装置。
【請求項６】
前記逆止構造は、前記サブタンク内において前記弁体を収容するように設けられ、下部に通水孔を有すると共に前記通水孔よりも上方に通水部を有する小タンクと、前記サブタンク内で且つ前記小タンク外の水位に基づいて昇降し、上昇して前記通水孔を閉じる一方で下降して前記通水孔を開く第２弁体と、を有し、
前記弁体は、前記小タンク内の水位に基づいて昇降する請求項５に記載のタンク装置。
【請求項７】
前記サブタンクは、前記開口の高さ方向の位置が変更可能な構造を有する請求項１から６のいずれかに記載のタンク装置。
【請求項８】
前記サブタンクは、該サブタンクの下端よりも上方に前記開口を有する請求項１から７のいずれかに記載のタンク装置。
【請求項９】
前記サブタンクは、該サブタンクの下面に複数の前記開口を有する請求項１から７のいずれかに記載のタンク装置。
【請求項１０】
前記サブタンクは、該サブタンクの内側において、該サブタンクの上面部の下方まで延びる整流板を有する請求項１から９のいずれかに記載のタンク装置。
【請求項１１】
給水弁の開閉によって前記タンク内への給水及び止水を制御するボールタップを備え、
前記サブタンクは、前記ボールタップのフロートを構成して前記タンク内の水位に基づいて昇降し、上昇して前記給水弁を閉じる一方で下降して前記給水弁を開く請求項１から１０のいずれかに記載のタンク装置。
【請求項１２】
前記排水口を開閉する排水弁を備え、
前記タンク内の水位が、前記開口よりも下方に設定されている高さまで低下したことを検知して前記排水弁で前記排水口を閉じる弁制御手段を備える請求項１から１１のいずれかに記載のタンク装置。
【請求項１３】
給水弁の開閉によって前記タンク内への給水及び止水を制御するボールタップと、
前記排水口を開閉する排水弁と、
前記ボールタップから前記タンクに給水する経路に設けられ、前記ボールタップによる給水を一時的に貯留することで前記タンクへの給水を遅延させ、前記タンクに給水する給水口を有するバッファタンクと、
前記給水口を開閉する遅延弁と
前記排水弁が前記排水口を開いた時に前記遅延弁で前記給水口を閉じる一方で、前記排水弁が前記排水口を閉じた時に前記遅延弁で前記給水口を開く連動手段と、を備える請求項１から１２のいずれかに記載のタンク装置。
【請求項１４】
便器に洗浄水を供給するタンク装置であって、
底部に排水口を有するタンクと、
前記タンクに設けられ、前記タンクの満水時の水面よりも下方に給気開口を有する仕切り部材と、を備え、
前記仕切り部材は、前記排水口からの排水中に、前記給気開口以外で前記仕切り部材の外から内への空気の流入を規制するタンク装置。
【請求項１５】
給水弁の開閉によって前記タンク内への給水及び止水を制御する給水部と、
前記排水口を開閉する排水弁と、
前記排水弁の開閉動作と連動して前記給気開口を開閉する給気弁体と、を備える請求項１４に記載のタンク装置。
【発明の詳細な説明】
【技術分野】
【０００１】
本発明は、タンク装置に関する。
【背景技術】
【０００２】
従来、タンクを備える水洗式大便器では、タンクの水位が高いほど洗浄水の瞬間流量が大きくなる構造を採用している。このような水洗大便器では、タンクの水位が高い時には高い洗浄性能を得られるが、洗浄開始から時間が経過すると、タンクの水位が下がるため洗浄水の瞬間流量が減少し、洗浄性能が低下する。
【０００３】
そこで、特許文献１に記載の水洗式大便器では、洗浄水タンクから排出される洗浄水の瞬間流量を抑え、その流量の維持時間を延長するために、洗浄水タンクの排水口の開口断面積を縮小させる絞り部材を配置している。
【０００４】
また、特許文献２に記載の水洗式大便器では、洗浄水タンク内に第２貯留部を備えており、この第２貯留部の水を後半に排出することで、後半に流量を増加させている。
【先行技術文献】
【特許文献】
【０００５】
【特許文献１】特開２０１３−２０９８１２号公報
【特許文献２】特許第５４５６２７３号公報
【発明の概要】
【発明が解決しようとする課題】
【０００６】
しかしながら、特許文献１に記載の水洗式大便器であっても、タンクの水位が低下すること、すなわち水頭圧が低下することで流量が低下してしまうので、洗浄性能の低下は避けられない。
また、特許文献２に記載の水洗式大便器は、そもそも流量の低下を抑えるものではない。
【０００７】
本発明は上記に鑑みてなされたものであり、その目的は、洗浄性能を向上できるタンク装置を提供することにある。
【課題を解決するための手段】
【０００８】
（１）  本発明は、便器（例えば、後述の便器２）に洗浄水を供給するタンク装置であって、底部（例えば、後述の底部１０）に排水口（例えば、後述の排水口１２）を有するタンク（例えば、後述のタンク７）と、前記タンク内に設けられ、前記タンクの満水時の水面よりも下方に開口（例えば、後述の開口９０）を有するサブタンク（例えば、後述のサブタンク９）と、を備え、前記サブタンクは、前記排水口からの排水中に、前記開口以外で該サブタンクの外から内への空気の流入を規制するタンク装置（例えば、後述のタンク装置３）を提供する。
【０００９】
（２）  （１）の発明において、前記サブタンクは、該サブタンクの下部に前記開口を有することが好ましい。
【００１０】
（３）  （１）又は（２）の発明において、前記サブタンクは、該サブタンクの上部に、該サブタンクの外から内への空気の流入を規制する逆止構造（例えば、後述の逆止構造１８）を有することが好ましい。
【００１１】
（４）  （３）の発明において、前記逆止構造は、前記排水口からの排水中に前記規制が解除可能な構造を有することが好ましい。
【００１２】
（５）  （３）又は（４）の発明において、前記サブタンクは、該サブタンクの上部に通気孔（例えば、後述の通気孔１２５，１６０）を有し、前記逆止構造は、前記サブタンク内の水位に基づいて昇降し、上昇して前記通気孔を開く一方で下降して前記通気孔を閉じる弁体（例えば、後述の弁体１１５，１２３）を有することが好ましい。
【００１３】
（６）  （５）の発明において、前記逆止構造は、前記サブタンク内において前記弁体を収容するように設けられ、下部に通水孔（例えば、後述の通水孔１３０）を有すると共に前記通水孔よりも上方に通水部（例えば、後述の通水部１３６）を有する小タンク（例えば、後述の箱材１２９）と、前記サブタンク内で且つ前記小タンク外の水位に基づいて昇降し、上昇して前記通水孔を閉じる一方で下降して前記通水孔を開く第２弁体（例えば、後述の弁体１３１）と、を有し、前記弁体は、前記小タンク内の水位に基づいて昇降することが好ましい。
【００１４】
（７）  （１）から（６）のいずれかの発明において、前記サブタンクは、前記開口の高さ方向の位置が変更可能な構造を有することが好ましい。
【００１５】
（８）  （１）から（７）のいずれかの発明において、前記サブタンクは、該サブタンクの下端よりも上方に前記開口を有することが好ましい。
【００１６】
（９）  （１）から（７）のいずれかの発明において、前記サブタンクは、該サブタンクの下面に複数の前記開口を有することが好ましい。
【００１７】
（１０）  （１）から（９）のいずれかの発明において、前記サブタンクは、該サブタンクの内側において、該サブタンクの上面部の下方まで延びる整流板を有することが好ましい。
【００１８】
（１１）  （１）から（１０）のいずれかの発明において、給水弁（例えば、後述の給水弁１０７）の開閉によって前記タンク内への給水及び止水を制御するボールタップ（例えば、後述のボールタップ１０１，１１１）を備え、前記サブタンクは、前記ボールタップのフロートを構成して前記タンク内の水位に基づいて昇降し、上昇して前記給水弁を閉じる一方で下降して前記給水弁を開くことが好ましい。
【００１９】
（１２）  （１）から（１１）のいずれかの発明において、前記排水口を開閉する排水弁（例えば、後述の排水弁８）を備え、前記タンク内の水位が、前記開口よりも下方に設定されている高さまで低下したことを検知して前記排水弁で前記排水口を閉じる弁制御手段（例えば、後述のフロート１０４、筒材１０５及びＥリング１０６）を備えることが好ましい。
【００２０】
（１３）  （１）から（１２）のいずれかの発明において、給水弁の開閉によって前記タンク内への給水及び止水を制御するボールタップと、前記排水口を開閉する排水弁と、前記ボールタップから前記タンクに給水する経路に設けられ、前記ボールタップによる給水を一時的に貯留することで前記タンクへの給水を遅延させ、前記タンクに給水する給水口（例えば、後述の給水口１４５）を有するバッファタンク（例えば、後述のバッファタンク１４３）と、前記給水口を開閉する遅延弁（例えば、後述の遅延弁１４４）と、前記排水弁が前記排水口を開いた時に前記遅延弁で前記給水口を閉じる一方で、前記排水弁が前記排水口を閉じた時に前記遅延弁で前記給水口を開く連動手段と、を備えることが好ましい。
【００２１】
（１４）  便器に洗浄水を供給するタンク装置であって、底部（例えば、後述の底部１０）に排水口（例えば、後述の排水口１２）を有するタンク（例えば、後述のタンク７）と、前記タンクに設けられ、前記タンクの満水時の水面よりも下方に給気開口（例えば、後述の給気開口１５５）を有する仕切り部材（例えば、後述の仕切り部材１４８）と、を備え、前記仕切り部材は、前記排水口からの排水中に、前記給気開口以外で前記仕切り部材の外から内への空気の流入を規制するタンク装置（例えば、後述のタンク装置１７０）を提供する。
【００２２】
（１５）  （１４）の発明において、給水弁（例えば、後述の給水弁１０７）の開閉によって前記タンク内への給水及び止水を制御する給水部（例えば、後述のボールタップ１１１）と、前記排水口を開閉する排水弁（例えば、後述の排水弁８）と、前記排水弁の開閉動作と連動して前記給気開口を開閉する給気弁体（例えば、後述の給気弁体１５０）と、を備えることが好ましい。
【発明の効果】
【００２３】
本発明によれば、洗浄性能を向上できるタンク装置を提供できる。
【図面の簡単な説明】
【００２４】
【図１】第１実施形態に係るタンク装置を備える便器装置の模式図である。
【図２】第１実施形態に係るタンク装置を備える便器装置において、（ａ）は、排水前の状態を示す模式図であり、（ｂ）は、排水開始時の状態を示す模式図であり、（ｃ）は、排水中であってサブタンクの下端までサブタンク外の水位が下がった状態を示す模式図であり、（ｄ）は、排水中であってサブタンク内の水位が下がっていく状態を示す模式図である。
【図３】第１実施形態に係るタンク装置を備える便器装置において、（ａ）は、排水中であってサブタンク内が空になった状態を示す模式図であり、（ｂ）は、排水終了後の状態を示す模式図であり、（ｃ）は、給水開始時の状態を示す模式図であり、（ｄ）は、給水完了後の状態を示す模式図である。
【図４】第１実施形態に係るタンク装置における排水開始からの時間と排水の流量との関係を示す吐水流量曲線図である。
【図５】マリオットの瓶を説明するための模式図である。
【図６】（ａ）は、上下方向に長いサブタンクを備えるタンク装置の模式図であり、（ｂ）は、上下方向に短いサブタンクを備えるタンク装置の模式図である。
【図７】第２実施形態に係るタンク装置が備えるサブタンクにおいて、（ａ）は、上下方向に伸長させた状態を示す模式図であり、（ｂ）は、上下方向に収縮させた状態を示す模式図である。
【図８】第３実施形態に係るタンク装置が備えるサブタンクにおいて、（ａ）は、上下方向に伸長させた状態を示す模式図であり、（ｂ）は、上下方向に収縮させた状態を示す模式図である。
【図９】第４実施形態に係るタンク装置を備える便器装置において、（ａ）は、逆止構造を閉じた状態を示す模式図であり、（ｂ）は、逆止構造を開いた状態を示す模式図である。
【図１０】第４実施形態に係るタンク装置における排水開始からの時間と排水の流量との関係を示す吐水流量曲線図である。
【図１１】第５実施形態に係るタンク装置を備える便器装置において、（ａ）は、排水前の状態を示す模式図であり、（ｂ）は、排水終了後の状態を示す模式図であり、（ｃ）は、給水完了後の状態を示す模式図であり、（ｄ）は、サブタンクを上下反転させた後の状態を示す模式図である。
【図１２】第６実施形態に係るタンク装置において、（ａ）は、排水前の状態を示す模式図であり、（ｂ）は、排水中の状態を示す模式図である。
【図１３】第６実施形態に係るタンク装置が備えるサブタンクの外観斜視図である。
【図１４】第７実施形態に係るタンク装置において、（ａ）は、排水前の状態を示す模式図であり、（ｂ）は、排水中の状態を示す模式図である。
【図１５】第７実施形態に係るタンク装置が備えるサブタンクの外観斜視図である。
【図１６】第８実施形態に係るタンク装置において、（ａ）は、排水前の状態を示す模式図であり、（ｂ）は、排水中の状態を示す模式図である。
【図１７】第９実施形態に係るタンク装置の模式図である。
【図１８】第１０実施形態に係るタンク装置の模式図である。
【図１９】第１１実施形態に係るタンク装置の模式図である。
【図２０】第１１実施形態に係るタンク装置において、（ａ）は、排水前の状態を示す模式図であり、（ｂ）は、排水中であってサブタンク内の水位が下がっていく状態を示す模式図であり、（ｃ）は、排水終了後の状態を示す模式図であり、（ｄ）は、給水完了後の状態を示す模式図である。
【図２１】第１２実施形態に係るタンク装置の模式図である。
【図２２】第１２実施形態に係るタンク装置において、（ａ）は、給水開始時の状態を示す模式図であり、（ｂ）は、給水中であってサブタンクの内から外への空気の流出を断続的に許容している状態を示す模式図であり、（ｃ）は、給水中であってサブタンクの内から外への空気の流出を連続的に許容している状態を示す模式図であり、（ｄ）は、給水完了後の状態を示す模式図である。
【図２３】第１２実施形態に係るタンク装置において、（ａ）は、排水前の状態を示す模式図であり、（ｂ）は、排水中であってサブタンクの内外の水位が同時に下がっていく状態を示す模式図であり、（ｃ）は、排水中であってサブタンクの下端までサブタンク外の水位が下がった後にサブタンク内の水位が下がっていく状態を示す模式図である。
【図２４】第１２実施形態に係るタンク装置及び比較対象となるタンク装置における排水開始からの時間と排水の流量との関係を示す吐水流量曲線図である。
【図２５】第１３実施形態に係るタンク装置の模式図である。
【図２６】第１４実施形態に係るタンク装置の模式図である。
【図２７】第１４実施形態に係るタンク装置において、（ａ）は、給水中の状態を示す模式図であり、（ｂ）は、給水完了後の状態を示す模式図である。
【図２８】第１４実施形態に係るタンク装置において、（ａ）は、排水中であってサブタンクの下端までサブタンク外の水位が下がった状態を示す模式図であり、（ｂ）は、排水中であってサブタンク内の水位が下がっていく過程でサブタンクの外から内への空気の流入を規制している状態を示す模式図であり、（ｃ）は、排水中であってサブタンク内の水位が下がっていく過程でサブタンクの外から内への空気の流入を許容している状態を示す模式図である。
【図２９】第１４実施形態に係るタンク装置及び比較対象となるタンク装置における排水開始時からの時間と排水の流量との関係を示す吐水流量曲線図である。
【図３０】排水終了のタイミングを説明するためのタンク装置において、（ａ）は、排水開始時の状態を示す模式図であり、（ｂ）は、サブタンク内の水位がサブタンクの下端よりも上方の時に排水を終了させた状態を示す模式図であり、（ｃ）は、サブタンク内の水位がサブタンクの下端に達した時に排水を終了させた状態を示す模式図であり、（ｄ）は、タンク内の水位がサブタンクの下端よりも下方に達した時に排水を終了させた状態を示す模式図である。
【図３１】第１５実施形態に係るタンク装置の模式図である。
【図３２】第１６実施形態に係るタンク装置の模式図である。
【図３３】第１６実施形態に係るタンク装置において、（ａ）は、排水前の状態を示す模式図であり、（ｂ）は、排水中の状態を示す模式図であり、（ｃ）は、排水終了後の状態を示す模式図であり、（ｄ）は、給水完了後の状態を示す模式図である。
【図３４】第１７実施形態に係るタンク装置の模式図である。
【図３５】第１７実施形態に係るタンク装置において、（ａ）は、排水前の状態を示す模式図であり、（ｂ）は、排水中の状態を示す模式図であり、（ｃ）は、給水中の状態を示す模式図であり、（ｄ）は、給水完了後の状態を示す模式図である。
【図３６】第１７実施形態に係るタンク装置及び比較対象となるタンク装置における排水開始からの時間と排水の流量との関係を示す吐水流量曲線図である。
【図３７】第１８実施形態に係るタンク装置の外観斜視図である。
【図３８】第１８実施形態に係るタンク装置の平面図である。
【発明を実施するための形態】
【００２５】
以下、本発明の実施形態について、図面を参照して詳細に説明する。なお、第２実施形態以降の説明において、第１実施形態と共通する構成については同一の符号を付し、対応する構成については同一の規則性に従って符号を付し、適宜その説明を省略する。また、第２実施形態以降の説明において、第１実施形態と共通する作用、効果については、適宜その説明を省略する。
【００２６】
［第１実施形態］
図１は、本発明の第１実施形態に係るタンク装置３を備える便器装置１の模式図である。図２の（ａ）は、便器装置１における排水前の状態を示す模式図である。図２の（ｂ）は、便器装置１における排水開始時の状態を示す模式図である。図２の（ｃ）は、便器装置１における排水中であってサブタンク９の下端までサブタンク９外の水位が下がった状態を示す模式図である。図２の（ｄ）は、便器装置１における排水中であってサブタンク９内の水位が下がっていく状態を示す模式図である。図３の（ａ）は、便器装置１における排水中であってサブタンク９内が空になった状態を示す模式図である。図３の（ｂ）は、便器装置１における排水終了後の状態を示す模式図である。図３の（ｃ）は、便器装置１における給水開始時の状態を示す模式図である。図３の（ｄ）は、便器装置１における給水完了後の状態を示す模式図である。図４は、タンク装置３における排水開始からの時間と排水の流量との関係を示す吐水流量曲線図である。図５は、マリオットの瓶を説明するための模式図である。
【００２７】
図１に示すように、便器装置１は、便器２と、タンク装置３と、を備える。
【００２８】
便器２は、便器本体４と、この便器本体４の上部に便器本体４に対して開閉可能に取り付けられる便座（図示省略）及び便蓋５と、を含んで構成される。
【００２９】
タンク装置３は、給水経路６から供給される水を、便器本体４を洗浄する洗浄水として貯留する。このタンク装置３は、タンク７と、蓋部（図示省略）と、排水弁８と、玉鎖（図示省略）と、操作レバー（図示省略）と、フロート（図示省略）と、サブタンク９と、を備える。
【００３０】
タンク７は、底部１０と、この底部１０から起立する複数の側壁１１と、を備え、上面が開口した箱状に形成される。
【００３１】
底部１０には、タンク７に貯留された洗浄水を排出する排水口１２が形成される。排水口１２は、排水路となる排水管１３を介して便器本体４に接続される。排水口１２には、排水口１２を開閉する排水弁８が配置される。
【００３２】
排水弁８は、頭部１４と、ヒンジ１５と、を備える。
頭部１４は、排水口１２の内径よりも一回り大きい外径で、ゴム等で平板形状に構成される。この頭部１４は、排水口１２の周縁にヒンジ１５を介して取り付けられ、水平軸回りに回動するものであり、排水弁８が排水口１２を閉じる場合に、排水口１２を覆う。
この排水弁８は、玉鎖（図示省略）を介して操作レバー（図示省略）に接続されており、操作レバー（図示省略）の操作により、水平軸回りに回動することで排水口１２を開閉する。
【００３３】
サブタンク９は、上面部１６と、この上面部１６に直交する複数の側壁１７と、上面部１６に設けられた逆止構造１８と、を備え、下面に開口９０を有する箱状に形成される。このサブタンク９は、タンク７の内寸よりも一回り小さい外寸を有しており、タンク７内に収容される。開口９０は、タンク７の満水時の水面よりも下方に配置される。なお、サブタンク９は、タンク７の満水時の水面よりも上方には開口を有していない。
【００３４】
逆止構造１８は、サブタンク９の上部に設けられた逆止弁であり、サブタンク９の外から内への空気の流入を規制する一方で、サブタンク９の内から外への空気の流出を許容する。
【００３５】
次に、図２及び図３を用いて、タンク装置３における給排水の流れを説明する。
図２の（ａ）に示すように、タンク装置３における排水前は、排水弁８が排水口１２を閉じており、給水経路６を介して供給される洗浄水によって、タンク７及びサブタンク９は満水になっている。
【００３６】
タンク装置３における排水開始時は、操作レバー（図示省略）の操作によって排水弁８が排水口１２を開く。排水口１２が開かれることで、排水口１２からの吐水が開始され、タンク７内の洗浄水が排水管１３を介して便器本体４に排出（供給）される。
【００３７】
タンク装置３における排水中は、図２の（ｂ）に示すように、まず、吸気のできないサブタンク９内の水位は低下せず、サブタンク９外の水位が低下する。この間、水頭圧は、サブタンク９外の水位に応じた圧となり、低下し続ける。
【００３８】
図２の（ｃ）に示すように、サブタンク９外の水位がサブタンク９の下端に到達すると、この時の水頭圧は、サブタンク９の下端に到達したサブタンク９外の水位に応じた圧となる。
【００３９】
その後は、図２の（ｄ）に示すように、サブタンク９の下端の外から内に空気が入り、サブタンク９内の水位が低下する。この間、水頭圧は、サブタンク９の下端に到達しているサブタンク９外の水位に応じた圧で一定に維持される。
【００４０】
しばらくすると、図３の（ａ）に示すように、サブタンク９が空になる。その後、図３の（ｂ）に示すように、所定の水位に到達するまでタンク７内の水位が低下し、排水が終了する。この間、水頭圧は、タンク７内の水位に応じた圧となり、低下し続ける。
【００４１】
その後、給水経路６から水が供給されることで、タンク装置３の給水が開始され、図３の（ｃ）に示すように、タンク７内の水位が上昇すると共に、逆止構造１８によってサブタンク９の内から外への空気の流出が許容されるので、サブタンク９内の空気が逆止構造１８を介してサブタンク９外に流出され、サブタンク９内の水位も上昇する。そして、図３の（ｄ）に示すように、タンク装置３における給水が完了する。
【００４２】
次に、図４を用いて、タンク装置３における吐水流量の時刻歴を説明する。
図４中、横軸はタンク装置３における排水開始からの時間を表しており、縦軸は排水の流量を表している。この図４に示すように、タンク装置３における排水が開始されると、しばらくの間、吐水流量は一気に増大する。この間、吸気のできないサブタンク９内の水位は低下せず、サブタンク９外の水位が低下する（図２の（ｂ）参照）。
【００４３】
そして、時間Ｔ１に達すると、サブタンク９外の水位がサブタンク９の下端に到達することで、サブタンク９の下端からサブタンク９の外から内に空気が入るので、その後は、サブタンク９内の水位が低下する（図２の（ｄ）参照）。この間、サブタンク９外の水位は一定であるため水頭圧は一定に維持されるので、吐水流量も一定となる。
【００４４】
そして、時間Ｔ２に達すると、サブタンク９が空になることで、その後は、所定の水位に到達するまでタンク７内の水位が低下し、排水が終了する。この間、水頭圧は低下し続けるので、吐水流量も低下し続ける。
【００４５】
次に、図５を用いて、マリオットの瓶を説明する。
図５に示すマリオットの瓶とは、タンクに溜めた水を、水位が低下しても常に一定の流量で排出させる仕組みを採用した原理のことである。図５に示すように、マリオットの瓶２０は、上方が開口した第１容器２１と、下方に口が位置するように逆さまにした第２容器２２と、を備える。
【００４６】
第１容器２１は、側方に排出口２３を有する。第１容器２１は水で満たされ、第１容器２１内の水面には、水の入った第２容器２２の口が配置される。
【００４７】
以上のマリオットの瓶２０は、水を張った第１容器２１に、水を入れた第２容器２２を逆さまにして突っ込んだ構造を有する。マリオットの瓶２０における水頭圧は、第２容器２２内の水位に関わらず、第１容器２１における排出口２３から、第１容器２１の水面までになる。排出口２３から第１容器２１内の水が排出されると、第２容器２２内の水が第１容器２１に供給されるため、第１容器２１の水位は変わらず、水頭圧は第２容器２２が空になるまで一定となる。このマリオットの瓶の原理は、加湿器の給水構造やペットの水飲み器等に応用されている。
【００４８】
上述した通り、本実施形態に係るタンク装置３は、底部１０に排水口１２を有するタンク７と、このタンク７内に設けられ、タンク７の満水時の水面よりも下方に開口を有するサブタンク９と、を備える。そのため、マリオットの瓶の原理により、サブタンク９外の水位がサブタンク９の開口（本実施形態では下部に設けられた開口）まで低下してから、サブタンク９内が空になるまでの間、タンク７内の水に掛かる水頭圧が、サブタンク９の開口までの水頭圧で一定に保たれるので、その間、一定の流量で吐水することができる。これにより、洗浄能力を向上できる。
【００４９】
そして、タンク装置３は、サブタンク９の上部に、当該サブタンク９の外から内への空気の流を規制する逆止構造１８を有するので、タンク７への給水時に逆止構造１８からサブタンク９内の空気が抜けるため、特別な操作をせずに、サブタンク９内に給水することができる。
【００５０】
［第２実施形態］
図６の（ａ）は、上下方向に長いサブタンク２６を備えるタンク装置２５の模式図である。図６の（ｂ）は、上下方向に短いサブタンク２８を備えるタンク装置２７の模式図である。図７の（ａ）は、本発明の第２実施形態に係るタンク装置２９が備えるサブタンク３０における上下方向に伸長させた状態を示す模式図である。図７の（ｂ）は、サブタンク３０における上下方向に収縮させた状態を示す模式図である。
【００５１】
本実施形態に係るタンク装置２９は、サブタンク３０が高さ方向に伸縮する点等が第１実施形態と相違する。
【００５２】
図６の（ａ）に示すように、第１実施形態と比較して上下方向に長く、下面に開口２６０を有するサブタンク２６を備えるタンク装置２５の場合、サブタンク２６外の水位がサブタンク２６の下端に到達することで、サブタンク２６外の水位で一定に維持される水頭圧は、第１実施形態と比較して低く、一定に保たれる吐水流量は、第１実施形態と比較して少ない。
【００５３】
一方、図６の（ｂ）に示すように、第１実施形態と比較して上下方向に短く、下面に開口２８０を有するサブタンク２８を備えるタンク装置２７の場合、サブタンク２８外の水位がサブタンク２８の下端に到達することで、サブタンク２８外の水位で一定に維持される水頭圧は、第１実施形態と比較して高く、一定に保たれる吐水流量は、第１実施形態と比較して多い。
【００５４】
そこで、図７に示すタンク装置２９は、サブタンク３０を高さ方向に伸縮する構造とすることで、サブタンク３０外の水位で一定に維持される水頭圧を設定可能とし、ひいては、一定に保たれる吐水流量を設定可能としている。
【００５５】
具体的に、タンク装置２９が備えるサブタンク３０は、サブタンク本体３１と、サブタンク延長部３２と、パッキン３３と、逆止構造１８と、を備える。
【００５６】
サブタンク本体３１は、上面部３４と、この上面部３４に直交する複数の側壁３５と、上面部３４に設けられた逆止構造１８と、を備え、下面に開口３１０を有する箱状に形成される。このサブタンク本体３１は、タンク（図示省略）の内寸よりも一回り小さい外寸を有しており、タンク（図示省略）内に収容される。
【００５７】
サブタンク延長部３２は、サブタンク本体３１の側壁３５に平行となる複数の側壁３６を備え、上面及び下面が開口して下面に開口３２０を有する筒状に形成される。このサブタンク延長部３２は、サブタンク本体３１の内寸よりも一回り小さい外寸を有しており、上下方向にスライド可能にサブタンク本体３１内に収容される。
【００５８】
パッキン３３は、サブタンク本体３１とサブタンク延長部３２との間に介在することで、サブタンク本体３１とサブタンク延長部３２との隙間から洗浄水や空気が漏れることを防止する。
【００５９】
以上のタンク装置２９は、サブタンク３０が下方に有する開口（開口３２０）の高さ方向の位置が変更可能な構造を有する。そのため、当該開口の高さ方向の位置を、設定者が所望する位置に変更しておくことで、一定に保たれるタンク（図示省略）内の水に掛かる水頭圧を、所望の水頭圧に設定することができる。これにより、設定者が所望する一定の流量で吐水することができる。
【００６０】
すなわち、図７の（ａ）に示すように、サブタンク３０が下方に有する開口の高さ方向の位置を、相対的に低い位置に設定しておくことで、一定に保たれるタンク（図示省略）内の水に掛かる水頭圧を、相対的に低い水頭圧に設定することができる。これにより、相対的に少ない一定の流量で吐水することができる。
【００６１】
一方、図７の（ｂ）に示すように、サブタンク３０が下方に有する開口の高さ方向の位置を、相対的に高い位置に設定しておくことで、一定に保たれるタンク（図示省略）内の水に掛かる水頭圧を、相対的に高い水頭圧に設定することができる。これにより、相対的に多い一定の流量で吐水することができる。
【００６２】
［第３実施形態］
図８の（ａ）は、本発明の第３実施形態に係るタンク装置３７が備えるサブタンク３８における上下方向に伸長させた状態を示す模式図である。図８の（ｂ）は、サブタンク３８における上下方向に収縮させた状態を示す模式図である。
【００６３】
本実施形態に係るタンク装置３７は、サブタンク３８が高さ方向に伸縮する点等が第１実施形態と相違する。
【００６４】
図８に示すタンク装置３７は、サブタンク３８を高さ方向に伸縮する構造とすることで、サブタンク３８外の水位で一定に維持される水頭圧を設定可能とし、ひいては、一定に保たれる吐水流量を設定可能としている。
【００６５】
具体的に、タンク装置３７が備えるサブタンク３８は、上面部３９と、この上面部３９に直交する複数の側壁４０と、側壁４０の途中に設けられた伸縮可能な蛇腹部４１と、逆止構造１８と、を備え、下面に開口３８０を有する箱状に形成される。このサブタンク３８は、タンク（図示省略）の内寸よりも一回り小さい外寸を有しており、タンク（図示省略）内に収容される。
【００６６】
以上のタンク装置３７は、サブタンク３８が下方に有する開口３８０の高さ方向の位置が変更可能な構造を有する。結果、当該開口３８０の高さ方向の位置を、設定者が所望する位置に変更しておくことで、一定に保たれるタンク（図示省略）内の水に掛かる水頭圧を、所望の水頭圧に設定することができる。これにより、設定者が所望する一定の流量で吐水することができる。
【００６７】
すなわち、図８の（ａ）に示すように、サブタンク３８が下方に有する開口３８０の高さ方向の位置を、相対的に低い位置に設定しておくことで、一定に保たれるタンク（図示省略）内の水に掛かる水頭圧を、相対的に低い水頭圧に設定することができる。これにより、相対的に少ない一定の流量で吐水することができる。
【００６８】
一方、図８の（ｂ）に示すように、サブタンク３８が下方に有する開口３８０の高さ方向の位置を、相対的に高い位置に設定しておくことで、一定に保たれるタンク（図示省略）内の水に掛かる水頭圧を、相対的に高い水頭圧に設定することができる。これにより、相対的に多い一定の流量で吐水することができる。
【００６９】
［第４実施形態］
図９の（ａ）は、本発明の第４実施形態に係るタンク装置４４を備える便器装置４３における逆止構造４６を閉じた状態を示す模式図である。図９の（ｂ）は、タンク装置４４における逆止構造４６を開いた状態を示す模式図である。図１０は、タンク装置４４における排水開始からの時間と排水の流量との関係を示す吐水流量曲線図である。
【００７０】
本実施形態に係るタンク装置４４は、逆止構造４６の規制が解除可能な構造を有している点等が第１実施形態と相違する。
【００７１】
図９に示すように、便器装置４３が備えるタンク装置４４は、サブタンク４５を備える。サブタンク４５は、上面部１６と、複数の側壁１７と、上面部１６に設けられた逆止構造４６と、を備える。
【００７２】
逆止構造４６は、サブタンク４５の上部に設けられた逆止弁であり、サブタンク４５の外から内への空気の流入を規制する一方で、サブタンク４５の内から外への空気の流出を許容する。この逆止構造は、例えば電磁弁で構成されており、周知のセンサー又はスイッチ等の動作に伴って駆動することで、排水口１２からの排水中に規制が解除可能となっている。
【００７３】
図９の（ａ）に示すように、逆止構造４６の規制を解除していない場合、サブタンク４５外の水位がサブタンク４５の下端に到達すると、この時の水頭圧は、サブタンク４５の下端に到達したサブタンク４５外の水位となる。
【００７４】
一方、図９の（ｂ）に示すように、サブタンク４５外の水位がサブタンク４５の下端に到達した場合に、逆止構造４６の規制を解除すると、この時の水頭圧は、サブタンク４５内の水面の水位となる。
【００７５】
次に、図１０を用いて、タンク装置４４における吐水流量の時刻歴の一例を説明する。
図１０に示すように、タンク装置４４における排水が開始されると、しばらくの間、吐水流量は一気に増大する。この間、吸気のできないサブタンク４５内の水位は低下せず、サブタンク４５外の水位が低下する。
【００７６】
そして、時間ｔ１に達すると、サブタンク４５外の水位がサブタンク４５の下端に到達することで、サブタンク４５の下端からサブタンク４５の外から内に空気が入るので、その後はサブタンク４５内の水位が低下する。この間、水頭圧は一定に維持されるので、吐水流量も一定となる。
【００７７】
そして、サブタンク４５が空になる前に、時間ｔ２において、逆止構造４６の規制を解除することで、水頭圧が、サブタンク４５の下端からサブタンク４５内の水面の水位に上昇する。これにより、一時的に吐水流量が増大する。その後、時間ｔ３でサブタンク４５内の水が空になった後、所定の水位に到達するまでタンク７内の水位が低下し、排水が終了する。この間、水頭圧は低下し続けるので、吐水流量も低下し続ける。
【００７８】
このように、本実施形態に係るタンク装置４４のサブタンク４５が備える逆止構造４６は、排水口１２からの排水中に規制が解除可能な構造を有する。これにより、サブタンク４５外の水位がサブタンク４５の下方に有する開口４５０まで低下してから、サブタンク４５内が空になるまでの間に、その規制を解除することで、一定に保たれていた水頭圧が一時的に増大するので、一時的に流量を増やすことができる。
【００７９】
［第５実施形態］
図１１の（ａ）は、本発明の第５実施形態に係るタンク装置４８を備える便器装置４７における排水前の状態を示す模式図である。図１１の（ｂ）は、タンク装置４８における排水終了後の状態を示す模式図である。図１１の（ｃ）は、タンク装置４８における給水完了後の状態を示す模式図である。図１１の（ｄ）は、タンク装置４８におけるサブタンク４９を上下反転させた後の状態を示す模式図である。
【００８０】
本実施形態に係るタンク装置４８は、サブタンク４９が回転する点等が第１実施形態と相違する。
【００８１】
図１１に示すように、タンク装置４８は、サブタンク４９と、モーター（図示省略）等を備える。
【００８２】
サブタンク４９は、第１サブタンク５０と、第２サブタンク５１と、連結部材５２等を備える。
【００８３】
第１サブタンク５０は、水平面部５３と、この水平面部５３に直交する複数の側壁５４と、を備え、下面又は上面が開口した箱状に形成される。この第１サブタンク５０は、回転軸５５を中心として、水平軸回りの方向に回転可能に、タンク７内に収容される。
【００８４】
第２サブタンク５１は、水平面部５６と、この水平面部５６に直交する複数の側壁５７と、を備え、上面又は下面が開口した箱状に形成される。この第２サブタンク５１は、回転軸５５を中心として、水平軸回りの方向に回転可能に、タンク７内に収容される。
【００８５】
連結部材５２は、第１サブタンク５０と第２サブタンク５１とを相互に連結すると共に、水平軸回りに回転する回転軸５５を有する。
【００８６】
以上のサブタンク４９は、モーター（図示省略）の回転に伴って回転軸５５が回転することにより、水平軸回りの方向に回転する。
モーター（図示省略）は、周知のセンサー、スイッチ又はタイマー等の動作に伴って駆動すると共に、周知のセンサー、スイッチ又はタイマー等の動作に伴って停止する。
【００８７】
次に、図１１を用いて、タンク装置４８における給排水の流れを説明する。
図１１の（ａ）に示すように、タンク装置４８における排水前は、排水弁８が排水口１２を閉じており、給水経路６を介して供給される洗浄水によって、タンク７は満水になっている。
【００８８】
図１１の（ｂ）に示すように、タンク装置４８における排水後は、第１サブタンク５０及び第２サブタンク５１のうち、下方に開口を有する方が空になる一方で、第１サブタンク５０及び第２サブタンク５１のうち、上方に開口を有する方に水が入ったままになる。
【００８９】
その後、給水経路６から水が供給されることで、図１１の（ｃ）に示すように、タンク７は満水になっている。ただし、第１サブタンク５０及び第２サブタンク５１のうち、下方に開口を有する方が空のままになる。
【００９０】
その後、図１１の（ｄ）に示すように、サブタンク４９を回転して、第１サブタンク５０と第２サブタンク５１とを上下反転することで、第１サブタンク５０及び第２サブタンク５１のうち、下方に開口を有する方にも水が満たされる。
これにより、本実施形態によれば、上述の第１実施形態と同様の効果が奏される。
【００９１】
［第６実施形態］
図１２の（ａ）は、本発明の第６実施形態に係るタンク装置６０における排水前の状態を示す模式図である。図１２の（ｂ）は、タンク装置６０における排水中の状態を示す模式図である。図１３は、タンク装置６０が備えるサブタンク６１の外観斜視図である。
【００９２】
本実施形態に係るタンク装置６０は、サブタンク６１が、当該サブタンク６１の下端よりも上方に開口６１０を有する点等が第１実施形態と相違する。
【００９３】
図１２及び図１３に示すように、タンク装置６０は、サブタンク６１等を備える。
【００９４】
サブタンク６１は、矩形状の上面部１６と、この上面部１６に直交し相対的に縦に長い三枚の側壁６２と、上面部１６に直交し相対的に縦に短い一枚の側壁６３と、上面部１６に設けられた逆止構造１８と、を備え、下面、及び側壁６３における下方が開口して下方に開口６１０を有する箱状に形成される。このサブタンク６１は、タンク７の内寸よりも一回り小さい寸法を有しており、タンク７内に収容される。
【００９５】
次に、図１２を用いて、タンク装置６０における排水の流れを説明する。
図１２の（ａ）に示すように、タンク装置６０における排水前は、排水弁８が排水口１２を閉じており、給水経路６を介して供給される洗浄水によって、タンク７及びサブタンク６１は満水になっている。
【００９６】
タンク装置６０における排水中は、図１２の（ｂ）に示すように、サブタンク６１外の水位が側壁６３の下端に到達すると、側壁６３の下端から、サブタンク６１の外から内に空気が入り、サブタンク６１内の水位が低下する。
【００９７】
本実施形態に係るタンク装置６０は、サブタンク６１が、当該サブタンク６１の下端よりも上方である側壁６３の下方に開口６１０を有する。これにより、側壁６３の下端という限定された箇所からサブタンク６１内へ空気が流入するため、例えば下面全体が開口して四方から空気が流入する場合と比べると、空気同士の干渉が少なくなり、振動や騒音を抑制することができる。また、複雑ではない構造であるため、振動や騒音の抑制を安易且つ安価に実現することができる。
【００９８】
［第７実施形態］
図１４の（ａ）は、本発明の第７実施形態に係るタンク装置６４における排水前の状態を示す模式図である。図１４の（ｂ）は、タンク装置６４における排水中の状態を示す模式図である。図１５は、タンク装置６４が備えるサブタンク６５の外観斜視図である。
【００９９】
本実施形態に係るタンク装置６４は、サブタンク６５が、当該サブタンク６５の下端よりも上方に開口６５０を有する点等が第１実施形態と相違する。
【０１００】
図１４及び図１５に示すように、タンク装置６４は、サブタンク６５等を備える。
【０１０１】
サブタンク６５は、矩形状の上面部１６と、この上面部１６に直交し相対的に縦に長い一枚の側壁６６と、上面部１６に直交し側壁６６と対向し相対的に縦に短い一枚の側壁６７と、上面部１６に直交し自身の下端が側壁６６の下端と側壁６７の下端を直線で結ぶ一対の側壁６８と、上面部１６に設けられた逆止構造１８と、を備え、下方が開口して下方に開口６５０を有する箱状に形成される。このサブタンク６５は、タンク７の内寸よりも一回り小さい寸法を有しており、タンク７内に収容される。
【０１０２】
次に、図１４を用いて、タンク装置６４における排水の流れを説明する。
図１４の（ａ）に示すように、タンク装置６４における排水前は、排水弁８が排水口１２を閉じており、給水経路６を介して供給される洗浄水によって、タンク７及びサブタンク６５は満水になっている。
【０１０３】
タンク装置６４における排水中は、図１４の（ｂ）に示すように、サブタンク６５外の水位が側壁６７の下端に到達すると、側壁６７の下端から、サブタンク６５の外から内に空気が入り、サブタンク６５内の水位が低下する。
【０１０４】
以上のタンク装置６４は、サブタンク６５が、当該サブタンク６５の下端よりも上方である側壁６７の下方に開口６５０を有する。これにより、側壁６７の下端という限定された箇所からサブタンク６５内へ空気が流入するため、例えば下面全体が開口して四方から空気が流入する場合と比べると、空気同士の干渉が少なくなり、振動や騒音を抑制することができる。また、複雑ではない構造であるため、振動や騒音の抑制を安易且つ安価に実現することができる。
【０１０５】
［第８実施形態］
図１６の（ａ）は、本発明の第８実施形態に係るタンク装置７０における排水前の状態を示す模式図である。図１６の（ｂ）は、タンク装置７０における排水中の状態を示す模式図である。
【０１０６】
本実施形態に係るタンク装置７０は、サブタンク７１が、当該サブタンク７１の下端よりも上方に開口７１０を有する点と、サブタンク７１が仕切り７２を有する点等が第１実施形態と相違する。
【０１０７】
図１６に示すように、タンク装置７０は、サブタンク７１等を備える。
【０１０８】
サブタンク７１は、矩形状の上面部１６と、この上面部１６に直交する複数の側壁６６，６７，６８，６８と、側壁６７と対向し側壁６７の内側に流路を形成する仕切り７２と、上面部１６に設けられた逆止構造１８と、を備え、下方が開口して下方に開口７１０を有する箱状に形成される。
【０１０９】
仕切り７２は、対向する一対の側壁６８，６８の下端から、上面部１６よりも下方までの長さを有しており、側壁６７との間に流路を形成すると共に上面部１６との間に流路を形成する。
【０１１０】
以上のサブタンク７１は、タンク７の内寸よりも一回り小さい寸法を有しており、タンク７内に収容される。
【０１１１】
次に、図１６を用いて、タンク装置７０における排水の流れを説明する。
図１６の（ａ）に示すように、タンク装置７０における排水前は、排水弁８が排水口１２を閉じており、給水経路６を介して供給される洗浄水によって、タンク７及びサブタンク７１は満水になっている。
【０１１２】
タンク装置７０における排水中は、図１６の（ｂ）に示すように、サブタンク７１外の水位が側壁６７の下端に到達すると、側壁６７の下端から、サブタンク７１の外から内に空気が入る。サブタンク７１内に入った空気は、側壁６７と仕切り７２とで形成されている流路を通ってサブタンク７１内における上方に溜まる。これにより、サブタンク７１内の水位が低下する。
【０１１３】
本実施形態に係るタンク装置７０は、サブタンク７１が、当該サブタンク７１の下端よりも上方である側壁６７の下方に開口７１０を有する。これにより、サブタンク７１外の空気は、側壁６７の下端という限定された箇所からサブタンク７１内へ流入し、側壁６７と仕切り７２とで形成されている流路を通ってサブタンク７１内における上方に溜まるので、空気同士の干渉がより少なくなり、振動や騒音をより抑制することができる。また、複雑ではない構造であるため、振動や騒音の抑制を安易且つ安価に実現することができる。
【０１１４】
［第９実施形態］
図１７は、本発明の第９実施形態に係るタンク装置７４の模式図である。
本実施形態に係るタンク装置７４は、サブタンク７５が、当該サブタンク７５の下端よりも上方に開口７５０を有する点と、サブタンク７５が整流板７６を有する点等が第１実施形態と相違する。
【０１１５】
図１７に示すように、タンク装置７４は、サブタンク７５等を備える。
【０１１６】
サブタンク７５は、矩形状の上面部１６と、この上面部１６に直交する複数の側壁６２，６３と、側壁６３と対向し側壁６３の内側に流路を形成する整流板７６と、上面部１６に設けられた逆止構造１８と、を備え、下面、及び側壁６３における下方が開口して下方に開口７５０を有する箱状に形成される。
【０１１７】
整流板７６は、サブタンク７５の内側において、上面部１６の下方まで延びている。より詳しくは、整流板７６は、側壁６３の下方に形成された開口７５０の近傍において、サブタンク７５の下端から上面部１６の下方まで上下方向に延びている。これにより、整流板７６は、側壁６３との間に流路を形成すると共に上面部１６との間に流路を形成する。
【０１１８】
以上のサブタンク７５は、タンク７の内寸よりも一回り小さい寸法を有しており、タンク７内に収容される。
【０１１９】
次に、図１７を用いて、タンク装置７４における排水の流れを説明する。
タンク装置７４における排水中は、図１７に示すように、サブタンク７５外の水位が側壁６３の下端に到達すると、側壁６３の下端から、サブタンク７５の外から内に空気が入る。サブタンク７５内に入った空気は、側壁６３と整流板７６とで形成されている流路を通ってサブタンク７５内における上方に溜まる。これにより、サブタンク７５内の水位が低下する。
【０１２０】
本実施形態に係るタンク装置７４によれば、第７実施形態及び第８実施形態に係るタンク装置と同様の効果が奏される。
【０１２１】
［第１０実施形態］
図１８は、本発明の第１０実施形態に係るタンク装置７８の模式図である。
本実施形態に係るタンク装置７８は、サブタンク７９が、当該サブタンク７９の下端よりも上方に開口７９０を有する点と、サブタンク７９が流路となる筒８０を有する点等が第１実施形態と相違する。
【０１２２】
図１８に示すように、タンク装置７８は、サブタンク７９等を備える。
【０１２３】
サブタンク７９は、矩形状の上面部１６と、この上面部１６に直交する複数の側壁６２，６３と、側壁６３の下端から当該サブタンク７９内における上方を繋ぐ筒８０と、上面部１６に設けられた逆止構造１８と、を備え、下面、及び側壁６３における下方が開口した箱状に形成される。このサブタンク７９は、タンク７の内寸よりも一回り小さい寸法を有しており、タンク７内に収容される。
【０１２４】
次に、図１８を用いて、タンク装置７８における排水の流れを説明する。
タンク装置７８における排水中は、図１８に示すように、サブタンク７９外の水位が側壁６３の下端に到達すると、側壁６３の下端から筒８０に空気が入る。筒８０に入った空気は、サブタンク７９内に送られ、サブタンク７９内における上方に溜まる。これにより、サブタンク７９内の水位が低下する。
【０１２５】
本実施形態に係るタンク装置７８によれば、第７実施形態及び第８実施形態に係るタンク装置と同様の効果が奏される。
【０１２６】
［第１１実施形態］
図１９は、本発明の第１１実施形態に係るタンク装置１００の模式図である。図２０の（ａ）は、タンク装置１００における排水前の状態を示す模式図である。図２０の（ｂ）は、タンク装置１００における排水中であってサブタンク９内の水位が下がっていく状態を示す模式図である。図２０の（ｃ）は、タンク装置１００における排水終了後の状態を示す模式図である。図２０の（ｄ）は、タンク装置１００における給水完了後の状態を示す模式図である。
【０１２７】
本実施形態に係るタンク装置１００は、サブタンク９がボールタップ１０１のフロートを兼ねる点等が第１実施形態と相違する。
【０１２８】
図１９に示すように、タンク装置１００は、給水経路であるボールタップ１０１から供給される水を、便器本体（図示省略）を洗浄する洗浄水として貯留する。このタンク装置１００は、タンク７と、蓋部（図示省略）と、ボールタップ１０１と、玉鎖１０２と、操作レバー１０３と、フロート１０４と、筒材１０５と、Ｅリング１０６と、排水弁８と、サブタンク９と、を備える。
【０１２９】
ボールタップ１０１は、給水弁１０７の開閉によって給水管１０８からのタンク７内への給水及び止水を制御する。このボールタップ１０１は、給水弁１０７と、給水管１０８と、連結部材１０９と、を備える。給水弁１０７は、連結部材１０９を介してサブタンク９に接続されており、サブタンク９がフロートとしてタンク７内の水位に基づいて昇降することにより開閉する。
【０１３０】
サブタンク９は、タンク７内で浮力によって上下動可能に構成されている。このサブタンク９は、タンク７内の水位に基づいて昇降し、上昇して給水弁１０７を閉じる一方で下降して給水弁１０７を開く。なお、サブタンク９は、上面部１６若しくは側壁１７が中空に構成され、又はポリプロピレン（ＰＰ）等の低密度素材で構成され、浮力を受けやすいものであることが好ましい。
【０１３１】
玉鎖１０２は、一端が操作レバー１０３に固定され、他端が排水弁８に固定されている。この玉鎖１０２には、上から順にフロート１０４及び筒材１０５がスライド可能に取り付けられていると共に、フロート１０４の上方にＥリング１０６が固定されている。フロート１０４は、Ｅリング１０６よりも下方で玉鎖１０２に対してスライドし、タンク７内の水位が所定の高さまで低下した場合に、筒材１０５を下方に向けて押す。筒材１０５は、フロート１０４によって下方に押された場合に、排水弁８を下方に向けて押し、排水弁８を閉じる。
【０１３２】
このようなタンク装置１００は、玉鎖１０２に固定されているＥリング１０６の位置に応じて、排水弁８を閉じる際のタンク７内の水位が設定されている。
【０１３３】
排水弁８は、玉鎖１０２を介して操作レバー１０３に接続されており、操作レバー１０３の操作により、水平軸回りに回動することで排水口１２を開く一方で、タンク７内の水位の低下により、水平軸回りに回動することで排水口１２を閉じる。
【０１３４】
次に、図２０を用いて、タンク装置１００における給排水の流れを説明する。
図２０の（ａ）に示すように、タンク装置１００における排水前は、排水弁８が排水口１２を閉じており、ボールタップ１０１を介して供給されていた洗浄水によって、タンク７及びサブタンク９は満水になっている。この時、サブタンク９は、浮力によって上昇した高さに位置しており、給水弁１０７を閉じている。
【０１３５】
タンク装置１００における排水開始時は、操作レバー１０３の操作によって排水弁８が排水口１２を開く。排水口１２が開かれることで、排水口１２からの吐水が開始され、タンク７内の洗浄水が排水管（図示省略）を介して便器本体（図示省略）に排出（供給）される。
【０１３６】
タンク装置１００における排水中は、まず、吸気のできないサブタンク９内の水位は低下せず、サブタンク９外の水位が低下する。その後は、図２０の（ｂ）に示すように、サブタンク９外の水位がサブタンク９の下端に到達すると、サブタンク９の下端の外から内に空気が入り、サブタンク９内の水位が低下する。この時、サブタンク９は、重力によって徐々に下降して、給水弁１０７を開く。これにより、ボールタップ１０１から水が供給されることになり、排水口１２からの吐水と同時に、タンク装置１００の給水が開始される。
【０１３７】
しばらくすると、図２０の（ｃ）に示すように、サブタンク９が空になり、また、所定の水位に到達するまでタンク７内の水位が低下し、排水が終了する。この時、タンク装置１００の給水は継続している。そして、図２０の（ｄ）に示すように、所定の水位に到達するまでタンク７内の水位が上昇し、タンク装置１００における給水が完了する。この時、サブタンク９が浮力によって上昇し、給水弁１０７を閉じる。
【０１３８】
以上のタンク装置１００は、サブタンク９がタンク７内の水位に基づいて昇降し、上昇して給水弁１０７を閉じる一方で下降して給水弁１０７を開く。すなわち、サブタンク９がボールタップ１０１のフロートを兼ねる。結果、ボールタップ１０１の一連の動作に必要な部材数を減らすことができる。これにより、タンク７内の部材構造の簡易化が可能となる。
【０１３９】
［第１２実施形態］
図２１は、本発明の第１２実施形態に係るタンク装置１１０の模式図である。図２２の（ａ）は、タンク装置１１０における給水開始時の状態を示す模式図である。図２２の（ｂ）は、タンク装置１１０における給水中であってサブタンク１１２の内から外への空気の流出を断続的に許容している状態を示す模式図である。図２２の（ｃ）は、タンク装置１１０における給水中であってサブタンク１１２の内から外への空気の流出を連続的に許容している状態を示す模式図である。図２２の（ｄ）は、タンク装置１１０における給水完了後の状態を示す模式図である。図２３の（ａ）は、タンク装置１１０における排水前の状態を示す模式図である。図２３の（ｂ）は、タンク装置１１０における排水中であってサブタンク１１２の内外の水位が同時に下がっていく状態を示す模式図である。図２３の（ｃ）は、タンク装置１１０における排水中であってサブタンク１１２の下端までサブタンク１１２外の水位が下がった後にサブタンク１１２内の水位が下がっていく状態を示す模式図である。図２４は、タンク装置１１０及び比較対象となるタンク装置における排水開始からの時間と排水の流量との関係を示す吐水流量曲線図である。
【０１４０】
本実施形態に係るタンク装置１１０は、浮力で作動する逆止構造を有している点等が第１実施形態と相違する。
【０１４１】
図２１に示すように、タンク装置１１０は、ボールタップ１１１と、サブタンク１１２と、を備える。
【０１４２】
ボールタップ１１１は、給水弁１０７と、給水管１０８と、連結部材１０９と、フロート１１３と、を備える。給水弁１０７は、連結部材１０９を介してフロート１１３に接続されており、フロート１１３がタンク７内の水位に基づいて昇降することにより開閉する。フロート１１３は、浮力の影響を受けやすい形状であることが好ましく、例えば有天井の筒型である。
【０１４３】
サブタンク１１２は、上面部１６と、複数の側壁１７と、上面部１６に設けられた逆止構造１１４と、を備える。
【０１４４】
逆止構造１１４は、上面部１６の通気孔１６０に設けられた逆止弁である弁体１１５を有しており、サブタンク１１２の外から内への空気の流入を規制する一方で、サブタンク１１２の内から外への空気の流出を許容する。
【０１４５】
弁体１１５は、サブタンク１１２内の水位に基づいて昇降し、上昇して通気孔１６０を開く一方で、下降して通気孔１６０を閉じる。具体的に、弁体１１５は、蓋材１１６と、連結材１１７と、フロート材１１８と、パッキン１１９と、を備える。
【０１４６】
蓋材１１６は、通気孔１６０に通されている連結材１１７を介してサブタンク１１２内のフロート材１１８に連結されており、フロート材１１８と一体となって昇降することで、サブタンク１１２の外から通気孔１６０を開閉する。フロート材１１８は、浮力の影響を受けやすい形状であることが好ましく、例えば有天井の筒型である。パッキン１１９は、蓋材１１６の下面に取り付けられており、蓋材１１６が通気孔１６０を閉じている際に、サブタンク１１２内の気密性を保つ。
【０１４７】
次に、図２２を用いて、タンク装置１１０における給排水の流れを説明する。
図２２の（ａ）に示すように、タンク装置１１０における給水開始時は、弁体１１５が通気孔１６０を閉じている。
【０１４８】
タンク装置１１０における給水が続くことで、図２２の（ｂ）に示すように、タンク７内及びサブタンク１１２内の水位が上昇する。この時、サブタンク１１２内の気圧が高まることで弁体１１５が上昇して通気孔１６０を開き、サブタンク１１２内の空気が通気孔１６０を介して外に流出する。結果、サブタンク１１２内の気圧が一時的に低くなるが、サブタンク１１２内の水位の上昇が続くことで、弁体１１５が同様の動作を繰り返し、サブタンク１１２の内から外への空気の流出を断続的に許容する。
【０１４９】
タンク装置１１０における給水が更に続くことで、図２２の（ｃ）に示すように、サブタンク１１２内の水位が弁体１１５のフロート材１１８に浮力を及ぼす高さまで上昇する。この、弁体１１５が浮力で上昇して通気孔１６０を開き、サブタンク１１２内の空気が通気孔１６０を介して外に流出する。これにより、サブタンク１１２の内から外への空気の流出を連続的に許容する。そして、図２２の（ｄ）に示すように、タンク装置１１０における給水が完了する。
【０１５０】
図２３の（ａ）に示すように、タンク装置１１０における排水開始前は、サブタンク１１２内は満水の状態で、浮力が及んでいる弁体１１５は通気孔１６０を開いている。排水が開始されると、図２３の（ｂ）に示すように、タンク７内及びサブタンク１１２内の水位が低下する。弁体１１５に浮力が及ばなくなることで、弁体１１５が通気孔１６０を閉じる。これにより、吸気のできなくなったサブタンク１１２内の水位は低下せず、サブタンク１１２外の水位が低下することになる。
【０１５１】
図２３の（ｃ）に示すように、サブタンク１１２外の水位がサブタンク１１２の下端に到達すると、サブタンク１１２の下端の外から内に空気が入り、サブタンク１１２内の水位が低下する。
【０１５２】
次に、図２４を用いて、タンク装置１１０における吐水流量の時刻歴を説明する。
図２４中、横軸はタンク装置１１０及び比較対象となるタンク装置における排水開始からの時間を表しており、縦軸は排水の流量を表している。また、図２４において、実線がタンク装置１１０における吐水流量を示し、破線が第１実施形態に係るタンク装置３の吐水流量を示し、一点鎖線が本発明を適用していない通常のタンク装置の吐水流量を示している。
【０１５３】
図２４の実線に示すように、タンク装置１１０における排水が開始されると、しばらくの間、吐水流量は一気に増大する。始めはサブタンク１１２内の水位も低下するが（図２３の（ａ）参照）、弁体１１５が通気孔１６０を閉じてからは、吸気のできないサブタンク１１２内の水位は低下せず、サブタンク１１２外のみの水位が低下する（図２３の（ｂ）参照）。
【０１５４】
そして、時間Ｔ１’に達すると、サブタンク１１２外の水位がサブタンク１１２の下端に到達することで、サブタンク１１２の下端からサブタンク１１２の外から内に空気が入るので、その後、サブタンク１１２内の水位が低下する（図２３の（ｃ）参照）。この間、サブタンク１１２外の水位は一定であるため水頭圧は一定に維持されるので、吐水流量も一定となる。
【０１５５】
そして、時間Ｔ２’に達すると、サブタンク１１２が空になることで、その後、所定の水位に到達するまでタンク７内の水位が低下し、排水が終了する。この間、水頭圧は低下し続けるので、吐水流量も低下し続ける。
【０１５６】
以上のタンク装置１１０は、逆止構造１１４が、サブタンク１１２内の水位に基づいて昇降し、上昇して通気孔１６０を開く一方で下降して通気孔１６０を閉じる弁体１１５を有する。結果、給水時には、サブタンク１１２内を確実に満水にすることができる。また、排水時には、吐水流量の制御が可能であり、排水開始初期に、大流量を長時間維持することができる。
【０１５７】
［第１３実施形態］
図２５は、本発明の第１３実施形態に係るタンク装置１２０の模式図である。
本実施形態に係るタンク装置１２０は、第１２実施形態と同様、浮力で作動する逆止構造を有している点等が第１実施形態と相違する。
【０１５８】
図２５に示すように、タンク装置１２０は、サブタンク１２１を備える。サブタンク１２１は、上面部１６と、複数の側壁１７と、上面部１６に設けられた逆止構造１２２と、を備える。
【０１５９】
逆止構造１２２は、上面部１６の通気孔１６０の下方に設けられた逆止弁である弁体１２３と、この弁体１２３をガイドする枠材１２４と、を有しており、サブタンク１２１の外から内への空気の流入を規制する一方で、サブタンク１２１の内から外への空気の流出を許容する。
【０１６０】
弁体１２３は、浮力で浮くゴムボールからなり、サブタンク１２１内の水位に基づいて昇降する。枠材１２４は、弁体１２３を収容する有底の筒型であり、上面部１６の下面に固定されている。この枠材１２４は、底部に、弁体１２３の径よりも小さい通気孔１２５を有しており、通気孔１２５は弁体１２３により開閉される。
【０１６１】
弁体１２３は、通気孔１２５の上方でサブタンク１２１内の水位に基づいて昇降し、上昇して通気孔１２５を開く一方で、下降して通気孔１２５を閉じる。
本実施形態によれば、上述の第１２実施形態と同様の効果が奏される。
【０１６２】
［第１４実施形態］
図２６は、本発明の第１４実施形態に係るタンク装置１２６の模式図である。図２７の（ａ）は、タンク装置１２６における給水中の状態を示す模式図である。図２７の（ｂ）は、タンク装置１２６における給水完了後の状態を示す模式図である。図２８の（ａ）は、タンク装置１２６における排水中であってサブタンク１２７の下端までサブタンク１２７外の水位が下がった状態を示す模式図である。図２８の（ｂ）は、タンク装置１２６における排水中であってサブタンク１２７内の水位が下がっていく過程でサブタンク１２７の外から内への空気の流入を規制している状態を示す模式図である。図２８の（ｃ）は、タンク装置１２６における排水中であってサブタンク１２７内の水位が下がっていく過程でサブタンク１２７の外から内への空気の流入を許容している状態を示す模式図である。図２９は、タンク装置１２６及び比較対象となるタンク装置における排水開始時からの時間と排水の流量との関係を示す吐水流量曲線図である。
【０１６３】
本実施形態に係るタンク装置１２６は、浮力で作動する逆止構造を有している点等が第１実施形態と相違する。
【０１６４】
図２６に示すように、タンク装置１２６は、サブタンク１２７を備える。サブタンク１２７は、上面部１６と、複数の側壁１７と、上面部１６に設けられた逆止構造１２８と、を備える。
【０１６５】
逆止構造１２８は、上面部１６の通気孔１６０の下方に設けられた逆止弁である弁体１２３と、この弁体１２３をガイドする箱材（小タンク）１２９と、この箱材１２９の通水孔１３０に設けられた逆止弁である弁体（第２弁体）１３１と、を有しており、サブタンク１２７の外から内への空気の流入を規制する一方で、サブタンク１２７の内から外への空気の流出を許容する。
【０１６６】
弁体１２３は、箱材１２９内の水位に基づいて昇降し、上昇して通気孔１６０を閉じる一方で、下降して通気孔１６０を開く。箱材１２９は、弁体１２３を収容する有底の筒型であり、上面部１６との間に通水部１３６を設けるように上面部１６の下面に固定されている。この箱材１２９は、底部に、通水孔１３０を有しており、通水孔１３０は弁体１３１により開閉される。
【０１６７】
弁体１３１は、サブタンク１２７内で且つ箱材１２９外の水位に基づいて昇降し、上昇して通水孔１３０を閉じる一方で、下降して通水孔１３０を開く。具体的に、弁体１３１は、フロート材１３２と、連結材１３３と、フランジ材１３４と、パッキン１３５と、を備える。
【０１６８】
フロート材１３２は、浮力の影響を受けやすい形状であることが好ましく、例えば有天井の筒型である。このフロート材１３２は、箱材１２９の下方に配置されており、通水孔１３０に通されている連結材１３３を介して箱材１２９内のフランジ材１３４に連結されている。また、フロート材１３２は、昇降することで、箱材１２９の下方から通水孔１３０を開閉する。
【０１６９】
フランジ材１３４は、弁体１３１が通水孔１３０から脱落することを防止している。パッキン１３５は、フロート材１３２の上面に取り付けられており、フロート材１３２が通水孔１３０を閉じている際に、通水孔１３０から洗浄水が漏れることを防止している。
【０１７０】
次に、図２７を用いて、タンク装置１２６における給排水の流れを説明する。
図２７の（ａ）に示すように、タンク装置１２６における給水中は、弁体１２３に浮力が及ばず、通気孔１６０が開いている。このため、サブタンク１２７内の水位も上昇する。サブタンク１２７内の水位が上昇して弁体１３１に浮力が及ぶことで、弁体１３１が上昇して通水孔１３０を閉じる。これにより、箱材１２９外の水位が上昇する一方で、通水孔１３０を介して箱材１２９内に洗浄水が流入することはない。
【０１７１】
その後、図２７の（ｂ）に示すように、通水部１３６を介して洗浄水が箱材１２９内に流入することで、タンク装置１２６の給水が完了する。この時、弁体１２３に浮力が及ぶことで、弁体１２３が上昇して通気孔１６０を閉じる。
【０１７２】
タンク装置１２６における排水中は、図２８の（ａ）に示すように、まず、吸気のできないサブタンク１２７内の水位は低下せず、サブタンク１２７外の水位が低下する。その後、サブタンク１２７外の水位がサブタンク１２７の下端に到達すると、サブタンク１２７の下端の外から内に空気が入り、サブタンク１２７内の水位が低下する。
【０１７３】
ただし、弁体１３１に浮力が及ぶ間は、弁体１３１が通水孔１３０を閉じており、箱材１２９内の水位は低下しない。この間、弁体１２３に浮力が及ぶため、弁体１２３が通気孔１６０を閉じており、水頭圧は、サブタンク１２７の下端に到達したサブタンク１２７外の水位に応じた圧で一定に維持される。
【０１７４】
しばらくすると、図２８の（ｂ）に示すように、サブタンク１２７内の水位が低下した結果、弁体１３１に浮力が及ばなくなり、弁体１３１が通水孔１３０を開く。これにより、箱材１２９内の水位が低下する。その後、図２８の（ｃ）に示すように、弁体１２３に浮力が及ばなくなり、弁体１２３が通気孔１６０を開く。この時、サブタンク１２７内が大気圧になるため、水頭圧は、サブタンク１２７内の水位に応じた圧に上昇する。
【０１７５】
次に、図２９を用いて、タンク装置１２６における吐水流量の時刻歴を説明する。
図２９中、横軸はタンク装置１２６及び比較対象となるタンク装置における排水開始からの時間を表しており、縦軸は排水の流量を表している。また、図２９において、実線がタンク装置１２６における吐水流量を示し、破線が第１実施形態に係るタンク装置３の吐水流量を示し、一点鎖線が本発明を適用していない通常のタンク装置の吐水流量を示している。
【０１７６】
図２９の実線に示すように、タンク装置１２６における排水が開始されると、しばらくの間、吐水流量は一気に増大する。この間、吸気のできないサブタンク１２７内の水位は低下せず、サブタンク１２７外の水位が低下する（図２８の（ａ）参照）。
【０１７７】
そして、時間Ｔ１に達すると、サブタンク１２７外の水位がサブタンク１２７の下端に到達することで、サブタンク１２７の下端からサブタンク１２７の外から内に空気が入るので、その後は、サブタンク１２７内の水位が低下する（図２８の（ｂ）参照）。この間、サブタンク１２７外の水位は一定であるため水頭圧は一定に維持されるので、吐水流量も一定となる。
【０１７８】
そして、時間Ｔ３に達すると、弁体１２３が通気孔１６０を開き、サブタンク１２７内が大気圧になるため（図２８の（ｃ）参照）、再び吐水流量は一気に増大する。その後は、所定の水位に到達するまでタンク７内の水位が低下し、排水が終了する。この間、水頭圧は低下し続けるので、吐水流量も低下し続ける。
【０１７９】
以上のタンク装置１２６は、逆止構造１２８が、サブタンク１２７内において弁体１２３を収容するように設けられ、下部に通水孔１３０を有すると共に通水孔１３０よりも上方に通水部１３６を有する箱材１２９と、サブタンク１２７内で且つ箱材１２９外の水位に基づいて昇降し、上昇して通水孔１３０を閉じる一方で下降して通水孔１３０を開く弁体１３１と、を有し、弁体１２３は、箱材１２９内の水位に基づいて昇降する。
【０１８０】
結果、給水時には、サブタンク１２７内を確実に満水にすることができる。また、排水時には、一定流量で排水している途中にサブタンク１２７内が大気開放されることにより、一定流量での排水が解除され、排水動作の後半に大流量の排水が可能となる。これにより、排水動作の後半に、排水トラップへの押込み力が強まり排出性能が向上する。
【０１８１】
［第１５実施形態］
図３０の（ａ）は、排水終了のタイミングを説明するためのタンク装置１３８における排水開始時の状態を示す模式図である。図３０の（ｂ）は、タンク装置１３８におけるサブタンク９内の水位がサブタンク９の下端よりも上方の時に排水を終了させた状態を示す模式図である。図３０の（ｃ）は、タンク装置１３８におけるサブタンク９内の水位がサブタンク９の下端に達した時に排水を終了させた状態を示す模式図である。図３０の（ｄ）は、タンク装置１３８におけるタンク７内の水位がサブタンク９の下端よりも下方に達した時に排水を終了させた状態を示す模式図である。図３１は、本発明の第１５実施形態に係るタンク装置１４０の模式図である。
【０１８２】
本実施形態に係るタンク装置１４０は、サブタンク９の下端より下方に設定された水位を検知することにより排水を終了することを具体的に開示している点等が第１実施形態と相違する。
【０１８３】
図３０の（ａ）に示すように、タンク装置１３８における排水開始時は、タンク７及びサブタンク９は満水になっており、操作レバー１０３の操作によって排水弁８が排水口１２を開く。排水口１２が開かれることで、排水口１２からの吐水が開始され、タンク７内の洗浄水が排水管（図示省略）を介して便器本体（図示省略）に排出（供給）される。
【０１８４】
タンク装置１３８における排水中は、まず、吸気のできないサブタンク９内の水位は低下せず、サブタンク９外の水位が低下する。その後は、サブタンク９外の水位がサブタンク９の下端に到達すると、サブタンク９の下端の外から内に空気が入り、サブタンク９内の水位が低下する。
【０１８５】
例えば、図３０の（ｂ）に示すように、タンク装置１３８において、サブタンク９内の水位がサブタンク９の下端よりも上方の時は、サブタンク９の下端の外から内に流入する気泡により、サブタンク９内の水面が波立っている。この時に水位を検知して排水弁８で排水口１２を閉じることは、水位検知の精度が悪く、排水毎の排出水量が大きくばらついてしまう。
【０１８６】
同様に、図３０の（ｃ）に示すように、タンク装置１３８において、サブタンク９内の水位がサブタンク９の下端に達した時も、それまでにサブタンク９の下端の外から内に流入していた気泡により、サブタンク９内の水面が波立っている。この時に水位を検知して排水弁８で排水口１２を閉じることは、水位検知の精度が悪く、排水毎の排出水量が大きくばらついてしまう。
【０１８７】
一方で、図３０の（ｄ）に示すように、タンク装置１３８において、タンク７内の水位がサブタンク９の下端よりも下方に達した後は、水面は落ち着いて波立っていない。この時に水位を検知して排水弁８で排水口１２を閉じることで、水位検知の精度を高め、排水毎の排出水量を一定に保つことができる。
【０１８８】
図３１に示すように、タンク装置１４０は、玉鎖１０２に固定されているＥリング１０６の位置に応じて、排水弁８を閉じる際のタンク７内の水位が、サブタンク９の下端に有する開口９０よりも下方に設定されている。
【０１８９】
以上のタンク装置１４０は、フロート１０４、筒材１０５及びＥリング１０６が弁制御手段として機能することで、タンク７内の水位が、サブタンク９の下端に有する開口９０よりも下方に設定されている高さまで低下したことを検知して排水弁８で排水口１２を閉じる。これにより、排水毎の排出水量のばらつきを抑制することができる。
【０１９０】
［第１６実施形態］
図３２は、本発明の第１６実施形態に係るタンク装置１４２の模式図である。図３３の（ａ）は、タンク装置１４２における排水前の状態を示す模式図である。図３３の（ｂ）は、タンク装置１４２における排水中の状態を示す模式図である。図３３の（ｃ）は、タンク装置１４２における排水終了後の状態を示す模式図である。図３３の（ｄ）は、タンク装置１４２における給水完了後の状態を示す模式図である。
【０１９１】
本実施形態に係るタンク装置１４２は、給水経路であるボールタップ１１１による給水を一時的に貯留することでタンク７への給水を遅延させるバッファタンク１４３を備える点等が第１実施形態と相違する。
【０１９２】
図３２に示すように、タンク装置１４２は、バッファタンク１４３と、遅延弁１４４と、連動手段（図示省略）と、を備える。
【０１９３】
バッファタンク１４３は、ボールタップ１１１からタンク７に給水する経路に設けられて、ボールタップ１１１による給水を一時的に貯留する。このバッファタンク１４３は、その底部に、一時的に貯留した洗浄水をタンク７に供給する給水口１４５を有している。給水口１４５は、遅延弁１４４によって開閉される。
【０１９４】
遅延弁１４４は、排水弁８による排水口１２の開閉に連動して給水口１４５を開閉する。連動手段（図示省略）は、例えば、てこの原理を用いたリンク機構であり、排水弁８が排水口１２を開いた時に遅延弁１４４で給水口１４５を閉じる一方で、排水弁８が排水口１２を閉じた時に遅延弁１４４で給水口１４５を開く。
【０１９５】
次に、図３３を用いて、タンク装置１４２における給排水の流れを説明する。
図３３の（ａ）に示すように、タンク装置１４２における排水前は、排水弁８が排水口１２を閉じており、ボールタップ１１１を介して供給されていた洗浄水によって、タンク７及びサブタンク９は満水になっている。この時、フロート１１３は、浮力によって上昇した高さに位置しており、給水弁１０７を閉じている。
【０１９６】
図３３の（ｂ）に示すように、タンク装置１４２における排水開始時は、操作レバー１０３の操作によって排水弁８が排水口１２を開く。排水口１２が開かれることで、排水口１２からの吐水が開始され、タンク７内の洗浄水が排水管（図示省略）を介して便器本体（図示省略）に排出（供給）される。排水弁８が排水口１２を開いた時に、連動手段（図示省略）によって遅延弁１４４が給水口１４５を閉じる。
【０１９７】
タンク装置１４２における排水中は、まず、吸気のできないサブタンク９内の水位は低下せず、サブタンク９外の水位が低下する。その後は、サブタンク９外の水位がサブタンク９の下端に到達すると、サブタンク９の下端の外から内に空気が入り、サブタンク９内の水位が低下する。この時、フロート１１３は、重力によって下降して、給水弁１０７を開く。これにより、ボールタップ１１１から洗浄水が供給され、バッファタンク１４３に洗浄水が一時的に貯留される。
【０１９８】
しばらくすると、サブタンク９が空になり、また、所定の水位に到達するまでタンク７内の水位が低下し、排水弁８が排水口１２を閉じることで排水が終了する。図３３の（ｃ）に示すように、排水弁８が排水口１２を閉じた時に、連動手段（図示省略）によって遅延弁１４４が給水口１４５を開く。給水口１４５が開かれることで、バッファタンク１４３に一時的に貯留されていた洗浄水がタンク７に供給される。
【０１９９】
そして、図３３の（ｄ）に示すように、所定の水位に到達するまでタンク７内の水位が上昇し、タンク装置１４２における給水が完了する。この時、フロート１１３が浮力によって上昇し、給水弁１０７を閉じる。
【０２００】
以上のタンク装置１４２は、ボールタップ１１１からタンク７に供給する経路に設けられて、ボールタップ１１１による給水を一時的に貯留することでタンク７への給水を遅延させ、タンク７に給水する給水口１４５を有するバッファタンク１４３と、給水口１４５を開閉する遅延弁１４４と、排水弁８が排水口１２を開いた時に遅延弁１４４で給水口１４５を閉じる一方で、排水弁８が排水口１２を閉じた時に遅延弁１４４で給水口１４５を開く連動手段（図示省略）と、を備える。結果、排水時にタンク７に給水されないため、排水毎に同じ流量パターンで一定流量の吐水ができる。これにより、洗浄水量のばらつきを低減できる。
【０２０１】
［第１７実施形態］
図３４は、本発明の第１７実施形態に係るタンク装置１４７の模式図である。図３５の（ａ）は、タンク装置１４７における排水前の状態を示す模式図である。図３５の（ｂ）は、タンク装置１４７における排水中の状態を示す模式図である。図３５の（ｃ）は、タンク装置１４７における給水中の状態を示す模式図である。図３５の（ｄ）は、タンク装置１４７における給水完了後の状態を示す模式図である。図３６は、タンク装置１４７及び比較対象となるタンク装置における排水開始からの時間と排水の流量との関係を示す吐水流量曲線図である。
【０２０２】
本実施形態に係るタンク装置１４７は、仕切り部材１４８によってマリオットの瓶の原理を作り出している点等が第１実施形態と相違する。
【０２０３】
図３４に示すように、タンク装置１４７は、仕切り部材１４８と、給水弁体１４９と、給気弁体１５０と、を備える。
【０２０４】
仕切り部材１４８は、タンク７内を上下に仕切るようにタンク７内に設けられている。この仕切り部材１４８は、上位面部１５１と、この上位面部１５１に直交するように上端が連続する側壁部１５２と、この側壁部１５２の下端に直交するように連続する下位面部１５３と、上位面部１５１に設けられた逆止構造１８と、を備える。
【０２０５】
上位面部１５１は、ボールタップ１１１による給水をタンク７内の上方から下方へ導く給水開口１５４を有している。給水開口１５４は、給水弁体１４９によって開閉される。給水弁体１４９は、給水弁１０７の開閉動作と連動して給水開口１５４を開閉する。
【０２０６】
下位面部１５３は、タンク７内の上方から下方へ給気する給気開口１５５を有している。給気開口１５５は、給水開口１５４よりも下方に位置し、給気弁体１５０によって開閉される。給気弁体１５０は、排水弁８の開閉動作と連動して給気開口１５５を開閉する。
【０２０７】
次に、図３５を用いて、タンク装置１４７における給排水の流れを説明する。
図３５の（ａ）に示すように、タンク装置１４７における排水前は、排水弁８が排水口１２を閉じており、ボールタップ１１１を介して供給されていた洗浄水によって、タンク７における仕切り部材１４８の下方は満水になっている。この時、給水弁体１４９が給水開口１５４を閉じていると共に、給気弁体１５０が給気開口１５５を閉じている。
【０２０８】
図３５の（ｂ）に示すように、タンク装置１４７における排水開始時は、操作レバー１０３の操作によって排水弁８が排水口１２を開く。排水口１２が開かれることで、排水口１２からの吐水が開始され、タンク７内の洗浄水が排水管（図示省略）を介して便器本体（図示省略）に排出（供給）される。排水弁８が排水口１２を開いた時に、連動手段（図示省略）によって給気弁体１５０が給気開口１５５を開く。給気開口１５５を介して仕切り部材１４８の上方から下方に空気が入り、タンク７内の水位が低下する。
【０２０９】
下位面部１５３よりも下方の所定の水位に到達するまでタンク７内の水位が低下し、排水弁８が排水口１２を閉じることで排水が終了する。排水弁８が排水口１２を閉じた時に、連動手段（図示省略）によって給気弁体１５０が給気開口１５５を閉じる。また、連動手段（図示省略）によって給水弁体１４９が給水開口１５４を開くと共に、給水弁１０７を開く。これにより、図３５の（ｃ）に示すように、ボールタップ１１１からタンク７内に洗浄水が供給される。
【０２１０】
そして、図３５の（ｄ）に示すように、所定の水位に到達するまでタンク７の水位が上昇し、タンク装置１４７における給水が完了する。その後、給水弁体１４９が給水開口１５４を閉じる。
【０２１１】
次に、図３６を用いて、タンク装置１４７における吐水流量の時刻歴を説明する。
図３６中、横軸はタンク装置１４７及び比較対象となるタンク装置における排水開始からの時間を表しており、縦軸は排水の流量を表している。また、図３６において、実線がタンク装置１４７における吐水流量を示し、破線が第１実施形態に係るタンク装置３の吐水流量を示している。
【０２１２】
図３６の実線に示すように、タンク装置１４７における排水が開始されると、しばらくの間、吐水流量は一気に増大する。この間、給気開口１５５における水面が波立つことになるが、給気開口１５５における水面が安定する時間Ｔ４に達すると、給気開口１５５における水位が一定であるため水頭圧は一定に維持されるので、吐水流量も一定となる。
【０２１３】
そして、時間Ｔ２に達すると、タンク７内の水位が下位面部１５３の高さに到達することで、その後、下位面部１５３よりも下方の所定の水位に到達するまでタンク７内の水位が低下し、排水が終了する。この間、水頭圧は低下し続けるので、吐水流量も低下し続ける。
【０２１４】
以上のタンク装置１４７は、タンク７内を上下に仕切るようにタンク７内に設けられ、ボールタップ１１１による給水をタンク７内の上方から下方へ導く給水開口１５４、及び当該給水開口１５４よりも下方に位置し、タンク７内の上方から下方へ給気する給気開口１５５を有する仕切り部材１４８と、給水弁１０７の開閉動作と連動して給水開口１５４を開閉する給水弁体１４９と、排水弁８の開閉動作と連動して給気開口１５５を開閉する給気弁体１５０と、を備える。これにより、第１実施形態に係るタンク装置３と比較して、一定流量で吐水するまでの無駄水が無くなるため、洗浄水量を低減できる。
【０２１５】
［第１８実施形態］
図３７は、本発明の第１８実施形態に係るタンク装置１７０の外観斜視図である。図３８は、タンク装置１７０の平面図である。
【０２１６】
本実施形態に係るタンク装置１７０は、サブタンク１７１が平面視でＣ字型である点等が第１実施形態と相違する。
【０２１７】
図３７に示すように、タンク装置１７０は、サブタンク１７１と、複数の固定フック１７２と、を備える。
【０２１８】
サブタンク１７１は、平面視でコの字型である上面部１７３と、この上面部１７３に直交する複数の側壁１７４と、上面部１７３に設けられた逆止構造１８と、を備え、下面に開口１７５を有する形に形成される。このサブタンク１７１は、当該サブタンク１７１の外寸がタンク７の内寸よりも僅かに小さい大きさを有し、且つ、玉鎖１０２及びフロート１１３等を避ける形状を有しており、複数の固定フック１７２によってタンク７に吊り下げられるように固定されている。
【０２１９】
以上のタンク装置１７０は、平面視でコの字型のサブタンク１７１を備えている。結果、サブタンク１７１の大容量化を可能にする。これにより、一定の流量で吐水する時間を長くすることができる。ひいては、洗浄能力を向上できる。
【０２２０】
以上、本発明のタンク装置３，２９，３７，４４，４８，６０，６４，７０，７４，７８，１００，１１０，１２０，１２６，１３８，１４０，１４２，１４７，１７０の好ましい実施形態について説明したが、本発明は、上述した実施形態に制限されるものではなく、適宜変更が可能である。また、一の実施形態の構成の全体又は一部を、可能な範囲で他の実施形態へ適用することが可能である。
【０２２１】
例えば、サブタンク６１，６５，７１，７５，７９，１７１の下端よりも上方に開口を有する態様に代えて、サブタンクの下面に複数の開口を有するように構成してもよい。この態様の場合も、限定された箇所（複数の開口）からサブタンク内へ空気が流入するため、空気同士の干渉が少なくなり、振動や騒音を抑制することができる。また、複雑ではない構造であるため、振動や騒音の抑制を安易且つ安価に実現することができる。
【０２２２】
あるいは、第１４実施形態に係るタンク装置１２６において、弁体１２３に代えて、第１２実施形態における弁体１１５を備えるように構成してもよい。
あるいは、第１５実施形態に係るタンク装置１４０において、フロート１０４、筒材１０５及びＥリング１０６を弁制御手段として機能させることに代えて、レーザー等のセンサーを用いることで、タンク７内の水位が、サブタンク９の下端に有する開口９０よりも下方に設定されている高さまで低下したことを検知するように構成してもよい。
【０２２３】
また、上記実施形態では、給水部をボールタップ１０１，１１１で構成したが、これに限定されない。例えば、給水部を電磁弁等で構成してもよい。
また、上記実施形態では、給水部としてのボールタップ１０１，１１１を仕切り部材１４８の上方に配置したが、これに限定されない。例えば、電磁弁等の給水部を、仕切り部材１４８の下方に配置してもよい。
【符号の説明】
【０２２４】
１，４３，４７  便器装置
２  便器
３，２５，２７，２９，３７，４４，４８，６０，６４，７０，７４，７８，１００，１１０，１２０，１２６，１３８，１４０，１４２，１４７，１７０  タンク装置
７  タンク
８  排水弁
９，２６，２８，３０，３８，４５，４９，６１，６５，７１，７５，７９，１１２，１２１，１２７，１７１  サブタンク
１０  底部
１２  排水口
１８，４６，１１４，１２２，１２８  逆止構造
３１  サブタンク本体
３２  サブタンク延長部
３３  パッキン
４１  蛇腹部
９０  開口
１０１，１１１  ボールタップ（給水部）
１０４  フロート（弁制御手段）
１０５  筒材（弁制御手段）
１０６  Ｅリング（弁制御手段）
１０７  給水弁
１１５，１２３  弁体
１２５，１６０  通気孔
１２９  箱材（小タンク）
１３０  通水孔
１３１  弁体（第２弁体）
１３６  通水部
１４３  バッファタンク
１４４  遅延弁
１４５  給水口
１４８  仕切り部材
１４９  給水弁体
１５０  給気弁体
１５４  給水開口
１５５  給気開口
【図１】
2018059388.tif 000003
【図２】
2018059388.tif 000004
【図３】
2018059388.tif 000005
【図４】
2018059388.tif 000006
【図５】
2018059388.tif 000007
【図６】
2018059388.tif 000008
【図７】
2018059388.tif 000009
【図８】
2018059388.tif 000010
【図９】
2018059388.tif 000011
【図１０】
2018059388.tif 000012
【図１１】
2018059388.tif 000013
【図１２】
2018059388.tif 000014
【図１３】
2018059388.tif 000015
【図１４】
2018059388.tif 000016
【図１５】
2018059388.tif 000017
【図１６】
2018059388.tif 000018
【図１７】
2018059388.tif 000019
【図１８】
2018059388.tif 000020
【図１９】
2018059388.tif 000021
【図２０】
2018059388.tif 000022
【図２１】
2018059388.tif 000023
【図２２】
2018059388.tif 000024
【図２３】
2018059388.tif 000025
【図２４】
2018059388.tif 000026
【図２５】
2018059388.tif 000027
【図２６】
2018059388.tif 000028
【図２７】
2018059388.tif 000029
【図２８】
2018059388.tif 000030
【図２９】
2018059388.tif 000031
【図３０】
2018059388.tif 000032
【図３１】
2018059388.tif 000033
【図３２】
2018059388.tif 000034
【図３３】
2018059388.tif 000035
【図３４】
2018059388.tif 000036
【図３５】
2018059388.tif 000037
【図３６】
2018059388.tif 000038
【図３７】
2018059388.tif 000039
【図３８】
2018059388.tif 000040